(57)【要約】【課題】  構成が簡単で、安価に製造することができるデジタルディスク収納ケース及びカード保持具を提供する。【解決手段】  本発明のデジタルディスク収納ケースは、デジタルディスク２０の中央にある指掛孔２０ａとほぼ同じ径の内径と、前記指掛孔２０ａの周囲に形成される非記録部２０ｃの外径以下の外径とを有する連続気泡構造のアクリル系フォームシート製の吸着シート１４と、該吸着シートを貼付した基板１１とを有する。【選択図】      図１
2008213936.tif 000002
【特許請求の範囲】
【請求項１】
デジタルディスクの中央にある指掛孔とほぼ同じ径の内径と、前記指掛孔の周囲に形成される非記録部の外径以下の外径とを有する連続気泡構造のアクリル系フォームシート製の吸着シートと、該吸着シートを貼付した基板とを有することを特徴とするデジタルディスク収納ケース。
【請求項２】
前記アクリル系フォームシートのガラス転移点が−４０〜＋１０℃で、一表面から他表面へとセル径が厚さ方向に小さくなる傾向にあることを特徴とする請求項１記載のデジタルディスク収納ケース。
【請求項３】
前記基板がブリスタートレイにより形成されていることを特徴とする請求項１又は請求項２記載のデジタルディスク収納ケース。
【請求項４】
台紙の所定の位置に、プラスチックカードの面積の数分の１の面積を有する連続気泡構造のアクリル系フォームシート製の吸着シートを貼付したことを特徴とするカード保持具。
【発明の詳細な説明】
【技術分野】
【０００１】
本発明はＣＤやＤＶＤなどのデジタルディスクを収納するケースや、クレジットカードやキャッシュカード等々のプラスチック製のカードを保持する保持具に関し、特に、ディスクやカードを保持する部分の構成に関する。
【背景技術】
【０００２】
ＣＤやＤＶＤなどのデジタルディスク（以下「ディスク」という）を収納する収納ケースは、ディスクを収容する凹部を形成したプラスチック製又は紙製の基板と、この凹部の中央に形成された突起を備えている。この突起は、先端近くにディスクの中央の指掛孔より若干太い径の部分があり、指掛孔を押し込むことで、ディスクを係止するものである。指掛孔を押し込むために、通常、突起には、放射状のスリットを入れることなどによって、弾性が付与されている。ディスクが収容される凹部の周縁には、複数の切欠があり、この切欠のいずれかに指を入れ、ディスクの縁部を持ち上げることで、ディスクを凹部から取り外すことができる。
【０００３】
このような構成のディスク収納ケースは、突起の構造が複雑であり、金型代が高くなるなどの理由から、コストアップとなっていた。
【０００４】
そこで、特許文献１（特開２００１−１６３３８９）では、ディスクを収容する凹部の中央に、弱粘着性で、再剥離及び再粘着が可能な粘着材を設けたものを提案している。粘着材は、ディスクの指掛孔の周囲にある非記録部に粘着するようにしている。このようにすることで、構成を簡素化し、安価に製造できる。
【０００５】
また、特許文献２（特開２０００−１２８２６５）は、ディスクとほぼ同じ大きさの吸着材を使用したディスク収納ケースを提案している。吸着材としては、シリコーン樹脂を使用し、その表面を鏡面状に仕上げている。これは、粘着ではなく真空吸着なので、記録部を汚すことは殆どない。
【０００６】
また、特許文献３（特開平１０−３１０１８５）では、指掛孔の周囲の非記録部に複数個の吸着材を取り付けたディスク収納ケースを提案している。
【特許文献１】特開２００１−１６３３８９
【特許文献２】特開２０００−１２８２６５
【特許文献３】特開平１０−３１０１８５
【発明の開示】
【発明が解決しようとする課題】
【０００７】
しかし、特許文献１の粘着材を使用するものは、粘着材の再剥離と再粘着を何回か繰り返すと、粘着力が低下し、ディスクを保持することができなくなってしまう。また、この粘着材を使用するものは、粘着面積を大きくすると、繰り返し使用できる回数を増やすことができるが、今度は、記録部と粘着材とが粘着することになり、記録部を汚してしまうことになる。
【０００８】
また、特許文献２に記載のものは、吸着材がシリコーン樹脂であり、ディスクとほぼ同じ大きさなので、高価になってしまう。
【０００９】
特許文献３に記載のものは、吸着面積が小さくなり、現在ある吸着材では、十分な吸着力を有するものを製造することができない。
【００１０】
本発明は、このような事実から考えられたもので、構成が簡単で、安価に製造することができるデジタルディスク収納ケース及びカード保持具を提供することを目的としている。
【課題を解決するための手段】
【００１１】
上記の目的を達成するために本発明のデジタルディスク収納ケースは、デジタルディスクの中央にある指掛孔とほぼ同じ径の内径と、前記指掛孔の周囲に形成される非記録部の外径以下の外径とを有する連続気泡構造のアクリル系フォームシート製の吸着シートと、該吸着シートを貼付した基板とを有することを特徴としている。
【００１２】
また、前記アクリル系フォームシートのガラス転移点が−４０〜＋１０℃で、一表面から他表面へとセル径が厚さ方向に小さくなる傾向にある構成とすることができる。
【００１３】
また、前記基板をブリスタートレイにより形成することもできる。
【発明の効果】
【００１４】
本発明によれば、ディスクは、デジタルディスク収納ケースの所定の位置に置くだけで、ディスクの自重によって吸着シートに吸着され、逆さにしても、振動を加えても、落下したり、滑り落ちることがなく、しっかりと係止することができる。また、非記録部に吸着するだけなので、記録部を汚したり、傷付けることもない。
【００１５】
また、ディスクとの結合が、粘着ではなく、真空吸着なので、繰り返し使用しても吸着力が低下することもない。また、吸着シートが汚れて吸着力が低下した場合は、洗うことで汚れが落ち、吸着力も回復する、という優れた効果を奏し得る。
【発明を実施するための最良の形態】
【００１６】
以下、本発明の実施の形態を添付図面を参照して説明する。
【００１７】
図１は、本発明のデジタルディスク収納ケースの実施例を示す図である。デジタルディスク収納ケース１０は、基板１１と、この基板１１に蝶番１３で連結された蓋体１２とから構成されている。基板１１、蓋体１２及び蝶番１３は、プラスチックで一体成形品を使用したり、厚紙を複数枚重ねて形成したりすることができる。
【００１８】
基板１１には、中央にＣＤやＤＶＤなどのディスク２０が収容される円形の凹部１１ａが形成されている。この円形の凹部１１ａの外縁には、４箇所、切欠１１ｂがあるが、これは、凹部１１ａに収容されたディスク２０を取り出す際に、指先を入れるためのもので、ディスク２０の取外しを容易にするためのものである。
【００１９】
凹部１１ａの中央には、吸着シート１４が接着固定されている。この吸着シート１４は中央に孔１４ａがあるドーナツ状をしている。ディスク２０は、中央に指掛孔２０ａがあり、下面の大部分は記録部２０ｂとなっていて、記録部２０ｂと指掛孔２０ａとの間に非記録部２０ｃが介在している。吸着シート１４の中央の孔１４ａは、指掛孔２０ａとほぼ同じ直径で、吸着シート１４の外径は、非記録部２０ｃの直径以下となっている。
【００２０】
吸着シート１４としては、ポリウレタン、ポリエチレン、ポリエステル、ポリスチレン、ポリオレフィン、ブタジエン共重合体、アクリル等の各種素材が知られており、さらに、これらの素材からなるシートや、発泡させたフォームシートなど、多様なものが知られている。
【００２１】
本発明の発明者は、これらのものから吸着シート１４を作成し、それぞれの性能を試した。その結果、アクリル系フォームシート、特に、株式会社イノアックコーポレーションが開発したアクリル系フォームシートが、最も良好な性能を有していることを見出し、本発明に至ったものである。
【００２２】
具体的には、本発明の吸着シートは、株式会社イノアックコーポレーションが、カーペットの滑り止め、家具の衝撃吸収などを目的として開発した自己吸着性のアクリルフォームシートで、Ａｃｔａｃｋ（登録商標）として販売しているもので、物性や製造方法の詳細は、特開２００２−３６３３３０に記載されている。
【００２３】
このアクリル系フォームシートは、ガラス転移点が−４０〜＋１０℃のアクリル系重合体を含有するエマルジョンに、空気又は不活性ガスを圧入して気液混合物を調整し、その後、該気液混合物を通気度が５０ｃｍ３／ｃｍ２／秒以下のシートの表面に塗布し、次いで調厚し、その後、加熱し硬化させることで形成される。このようにして形成されたアクリル系フォームシートは、連続気泡構造となり、かつ、シート面側では、セル径が大きく、表面側ではセル径が小さくなる、という特性を有する。
【００２４】
なお、アクリル系フォームシート以外の他のものは、フォームタイプであっても、吸着力が小さく、吸着シート１４とした場合、特許文献２に記載されているように、非記録部２０ｃの径を越え、ディスク径に近い大きな径でなければ、所望の吸着力が得られなかった。このように大きな吸着材では、記録部を傷付けるおそれもあり、また、コストダウンの目的も達成できなかった。
【００２５】
本発明の実施例では、吸着シート１４厚さは、１〜２ｍｍで、内径はディスクの中心にある指掛孔２０ａとほぼ同じ径の１６ｍｍ、外径は非記録部２０ｃの外径より小さい３０ｍｍとしている。ただし、この数値は一例であり、この値に限定されるものではない。実験によれば、内径１６ｍｍとして外径は２５ｍｍ以上あればよい。
【００２６】
吸着シート１４の上にディスク２０を載せると、ディスク２０の自重により吸着シート１４の吸着が進んでいき、数秒でほぼ吸着シート１４の全面が吸着する。その後は、従来の突起に係止していたのと同程度の力で剥がすことができるが、基板１１を逆さにしたり、揺すったりしても、ディスク２０が落下したり、ずれたりすることは全くなかった。
【００２７】
図２は、本発明の吸着シートをクレジットカードやキャッシュカード等々のプラスチック製のカードを保持するカード保持具に適用した例である。プラスチックカード３０を保持する場合には、台紙３１の適当な位置に吸着シート３２を両面テープなどで貼付すればよい。吸着シート３２は、図１に示す吸着シート１４と同じもので、その大きさは、プラスチックカード３０の面積の数分の１程度で十分である。図示では矩形であるが、円形等他の形状でもよい。
【００２８】
図３は、本発明の基板４１をブリスタートレイにより形成した実施例を示す図である。基板４１の中央には、ＣＤやＤＶＤなどのディスク２０が収容される円形の凹部４１ａが設けられている。そして、この円形の凹部４１ａの中央部に図１で示された実施例と同じ吸着シート１４を接着固定し、外縁にはディスク２０の取り出しを容易にするため、指先を入れられる凹部４１ｂを２箇所に設けている。そして、周辺の平らな部分４１ｃと、凹部４１ａとを図示しない台紙に接着して使用する。蓋は、台紙とヒンジ結合したものを台紙と一体に形成し、本を閉じるように折りたたんで使用する。
【００２９】
従来のデジタルディスク収納ケース１０はプラスチックの射出成型で形成されていた。射出成形は、金型も製造設備も高価で大型になる。これに対し、ブリスタートレイは、シート状にした合成樹脂を金型でプレスすることにより成型されるため、製造装置や金型コストを低く抑えることができる。また、射出成形のものは、重く、割れ易く、傷が目立ち易いが、ブリスタートレイは、軽量であり、割れにくく、傷が目立ちにくいといった利点がある。さらに、射出成形のものは、凹凸部があっても、これを利用して重ねることができないが、ブリスタートレイは、同じ形状であれば、凹凸部を嵌合させることができるので、重ねて保存することができる、等の多くの利点を有している。
【図面の簡単な説明】
【００３０】
【図１】本発明のデジタルディスク収納ケースとデジタルディスクの斜視図である。
【図２】本発明の吸着シートをクレジットカードやキャッシュカード等々のプラスチック製のカードを保持する保持具に適用した例を示す図である。
【図３】本発明のデジタルディスク収納ケースの基板をブリスタートレイとした斜視図である。
【符号の説明】
【００３１】
１０      デジタルディスク収納ケース
１１      基板
１４      吸着シート
１４ａ    孔
２０      ディスク
２０ａ    指掛孔
２０ｂ    記録部
２０ｃ    非記録部
３０      カード
３１      台紙
３２      吸着シート
４１      基板
【図１】
2008213936.tif 000003
【図２】
2008213936.tif 000004
【図３】
2008213936.tif 000005